(57)【特許請求の範囲】
【請求項１】
ステップ板を印刷機の基台より低い位置から所定の高さに昇降可能にしてパンタグラフ機構を用いた昇降手段に支持して設けた印刷用ステップにおいて、
上記パンタグラフ機構が、
ステップ板の下側四隅部に、中間をピン結合してＸ状にした２本のリンクからなるＸ状リンクを前後方向に回動するように配置し、各Ｘ状リンクの一方のリンクの下端を、印刷機の基台より低い位置に設けた支持台の前後方向の端部にピン結合すると共に、上端をステップ板の下面に沿って前後方向に移動可能に係合し、各Ｘ状リンクの他方のリンクの上端をステップ板の前後方向の端部にピン結合すると共に、下端を支持台の上面に沿って前後方向に移動可能に係合し、
上記４組のＸ状リンクの下端が支持台側にピン結合されている方のリンクの中間部に、基端を支持台に連結して前後方向に設けられ、伸縮可能にした伸縮ステーの先端を連結し、
さらに、このパンタグラフ機構の左右のそれぞれの前後方向に対向するＸ状リンクの下部が、支持台に沿って前後方向に移動するリンクの下端部を支持台の前後方向端部に設けたプーリに巻き掛けたループワイヤにて連結した構成になっている
ことを特徴とする印刷機用ステップ。
【請求項２】
伸縮ステーを、伸長してから短縮方向に力を加えることによりロックされ、このロック状態から少し伸長してから短縮方向に力を加えることにより短縮動作するようにした構成にしたことを特徴とする請求項１記載の印刷機用ステップ。
【請求項３】
ステップ板に補助ステップ板を、補助パンタグラフ機構等の補助昇降手段を介してステップ板より上方へ昇降可能に設けたことを特徴とする請求項１，２のいずれか１項記載の印刷機用ステップ。
【請求項４】
ステップ板の前側で、かつ左右の一方の端部にフックを有するレバーを前後方向に回動可能に設け、印刷機の手前側のフレームに、上記ステップ板が所定の高さまで上昇した状態で、手前側へ回動した上記レバーのフックが係脱可能に係合する結合ピンを設けたことを特徴とする請求項１〜３のいずれか１項記載の印刷機用ステップ。
【請求項５】
複数の印刷ユニットを上下方向に設け、各印刷ユニットのブラケット胴と版胴を支持する固定フレームに対して、各印刷ユニットのインキ装置を支持する移動フレームを上記固定フレームに対して移動可能にしてなるタワー型印刷機において、
上記移動フレームを移動したときにあけられる移動フレームの移動方向両側の空間内に、請求項１〜４のいずれか１項記載の印刷用ステップを配置した
ことを特徴とするタワー型印刷機。
【発明の詳細な説明】
【０００１】
【発明の属する技術分野】
本発明は、作業員の背丈より高い作業空間を有する印刷機において、この作業空間内で背丈より高い位置に対する作業を行う際に用いる印刷機用ステップ及びこれを用いたタワー型印刷機に関するものである。
【０００２】
【従来の技術】
タワー型印刷機、あるいは大型のＢＢ型（両面印刷型）のオフセット輪転印刷機は、胴やインキローラの配列などによりユニット高さが必然的に高くなり、ユニット高さが作業員の背丈より大きくなり、４ｍを越える場合もある。
【０００３】
このため、高所部のインキ供給やインキ装置等の調整、メンテナンスなどを行うため、印刷機の高さ方向の中間に、この印刷機を囲むようにして水平方向全面にステップを設け、印刷機全体を２階建てに見立てて、階段を昇降し、高所と低所とに分けて作業していた。一方、この印刷機の高さが２〜３ｍである場合では、このような固定式のステップを設けることは返って作業の障害となるため、印刷機の高さ方向の中間に跳ね上げ式のステップを設けるなどしていた。
【０００４】
【発明が解決しようとする課題】
しかしながら、この跳ね上げ式のステップの場合、作業時や、跳ね上げ格納時に、ステップ上のゴミや異物が機内や製品上に落ち、印刷品質を落としてしまうという可能性があった。また、格納されたステップが、作業を妨げる場所に位置することもあり、作業性のよいステップが望まれていた。
【０００５】
本発明は上記のことにかんがみなされたもので、作業空間に対して基台側に格納可能にして、この格納時にステップ上のゴミや異物が製品や機内に落ちることがないようにした印刷機用ステップ及びこれを用いたタワー型印刷機を提供することを目的とするものである。
【０００６】
【課題を解決するための手段】
上記目的を達成するために、本発明に係る印刷機用ステップは、ステップ板を印刷機の基台より低い位置から所定の高さに昇降可能にしてパンタグラフ機構を用いた昇降手段に支持して設けた印刷用ステップにおいて、上記パンタグラフ機構が、ステップ板の下側四隅部に、中間をピン結合してＸ状にした２本のリンクからなるＸ状リンクを前後方向に回動するように配置し、各Ｘ状リンクの一方のリンクの下端を、印刷機の基台より低い位置に設けた支持台の前後方向の端部にピン結合すると共に、上端をステップ板の下面に沿って前後方向に移動可能に係合し、各Ｘ状リンクの他方のリンクの上端をステップ板の前後方向の端部にピン結合すると共に、下端を支持台の上面に沿って前後方向に移動可能に係合し、上記４組のＸ状リンクの下端が支持台側にピン結合されている方のリンクの中間部に、基端を支持台に連結して前後方向に設けられ、伸縮可能にした伸縮ステーの先端を連結し、さらに、このパンタグラフ機構の左右のそれぞれの前後方向に対向するＸ状リンクの下部が、支持台に沿って前後方向に移動するリンクの下端部を支持台の前後方向端部に設けたプーリに巻き掛けたループワイヤにて連結した構成になっている。
そして上記伸縮ステーを、伸長してから短縮方向に力を加えることによりロックされ、このロック状態から少し伸長してから短縮方向に力を加えることにより短縮動作するようにした構成にした。
【０００７】
また、上記構成の印刷機用ステップにおいて、ステップ板に補助ステップ板を、補助パンタグラフ機構等の補助昇降手段を介してステップ板より上方へ昇降可能に設けた構成になっている。
また、構成の印刷機ステップにおいて、ステップ板の前側で、かつ左右の一方の端部にフックを有するレバーを前後方向に回動可能に設け、印刷機の手前側のフレームに、上記ステップ板が所定の高さまで上昇した状態で、手前側へ回動した上記レバーのフックが係脱可能に係合する結合ピンを設けた構成になっている。
さらに、複数の印刷ユニットを上下方向に設け、各印刷ユニットのブラケット胴と版胴を支持する固定フレームに対して、各印刷ユニットのインキ装置を支持する移動フレームを上記固定フレームに対して移動可能にしてなるタワー型印刷機において、上記移動フレームを移動したときにあけられる移動フレームの移動方向両側の空間内に、請求項１〜４のいずれか１項記載の印刷用ステップを配置した構成にした。
【０００８】
【作  用】
ステップ板はこれを下降した状態で基台内に収納される。そして、この状態からステップ板を上昇することにより、このステップ板が所定の高さとなり、作業員はこのステップ板上に乗って高所の作業を行う。
【０００９】
そしてステップ板を上昇させた状態で、このステップ板より補助ステップ板がさらに上昇される。これによりこの補助ステップ板上に乗ることによりさらに高い個所での作業を行うことができる。
【００１０】
【発明の実施の形態】
本発明の実施の形態を図面に基づいて説明する。図中１は本発明を適用しようとする印刷機の一例である両面印刷型で、かつタワー型の印刷機であり、この印刷機１には、両面印刷ユニット２ａ，２ｂ，２ｃ，２ｄが上下方向に配置されている。そしてこの各両面印刷ユニット２ａ〜２ｄは互いに対接するブランケット胴３ａ，３ｂ、各ブランケット胴３ａ，３ｂに転接する版胴４ａ，４ｂ、各版胴４ａ，４ｂに転接するインキ着けローラ５を含むインキユニット６ａ，６ｂとからなっている。この各両面印刷ユニット２ａ〜２ｄはブランケット胴３ａ，３ｂの対向部である連続紙７の走行経路に対して左右対称になっている。
【００１１】
８はタワー型オフセット輪転機１の基台である。各両面印刷ユニット２ａ〜２ｄのブラケット胴３ａ，３ｂ及び版胴４ａ，４ｂの印刷胴部は基端を上記基台８に一体状に結合して前後に離間して設けた固定フレーム９に支持されている。
【００１２】
上記各両面印刷ユニット２ａ〜２ｄのそれぞれの左側のインキ装置６ａは上記固定フレーム９に対して接離方向（左右方向）に移動可能にして基台８上に載置された左側の移動フレーム１０ａに支持されている。また右側のインキユニット６ｂは同様に固定フレーム９に対して接離方向（左右方向）に移動可能にして基台８上に載置された右側の移動フレーム１０ｂに支持されている。そして各移動フレーム１０ａ，１０ｂを固定フレーム９方向への移動端まで移動した状態で各インキユニット６ａ，６ｂのインキ着けローラ５が各版胴４ａ，４ｂに転接するようになっている。
【００１３】
基台８の左右方向（長手方向）の両端に左右の支柱１１ａ，１１ｂが基台８に固着して立設されている。この各支柱１１ａ，１１ｂと固定フレーム９側へ移動した各移動フレーム１０ａ，１０ｂとの間に作業員が入り込むに十分な第１空間１２，１２があけられている。そして各移動フレーム１０ａ，１０ｂはこの空間１２内で移動するようになっており、この両移動フレーム１０ａ，１０ｂを固定フレーム９から離れる方向に移動することにより両フレーム間に第２空間１２ａ，１２ａがあけられるようになっている。
【００１４】
固定フレーム９の上部と左右の各支柱１１ａ，１１ｂの上部との間に左右の上部フレーム１３ａ，１３ｂがそれぞれの端部を固定フレーム９と各支柱１１ａ，１１ｂに固着して設けてある。移動フレーム１０ａ，１０ｂは上記基台８と上部フレーム１３ａ，１３ｂに案内されて移動されるようになっている。
【００１５】
上記各移動フレーム１０ａ，１０ｂには移動装置１４ａ，１４ｂが設けてある。また固定フレーム９の両側と各移動フレーム１０ａ，１０ｂの対向部には両フレームを係脱可能に結合する結合装置１５ａ，１５ｂが上下部及び前後両側に設けてある。
【００１６】
このような印刷機１では、インキユニット６ａ，６ｂの背後部からの各部分のメンテナンスは図１に示すように移動フレーム１０ａ，１０ｂを固定フレーム９側へ移動した状態で、作業員は第１空間１２，１２内に入り込んで行う。また、版胴部やインキユニットの前側部をメンテナンスする場合には図２に示すように移動フレーム１０ａ，１０ｂを固定フレーム９から離間する方向に移動し、このときに生じる第２空間１２ａ，１２ａ内に入り込んでこの作業を行う。
【００１７】
このとき、この印刷機１の高さが作業員の背丈より高い場合には上記各空間１２，１２ａ内にステップを持ち込んで作業をしなければならない。
【００１８】
本発明の実施の形態では、この第１・第２の空間１２，１２ａのそれぞれの下部に折りたたみ可能にしたステップ２０が、基台８内に格納可能に設けてある。
【００１９】
上記ステップ２０の構成の一例を図４から図９を参照して説明する。図中２１，２１は基台８の上面より下側で、かつ基台８の長手方向（左右方向）に離間して設けた支持台、２２はこの支持台２１，２１にパンタグラフ機構２３を介して昇降可能に支持されたステップ板である。パンタグラフ機構２３によりステップ板２２は基台８の上面より低い位置から所定の高さ間にわたって昇降されるようになっている。ステップ板２２の前後方向の寸法は前後のフレームの内側寸法より小さくなっている。
【００２０】
パンタグラフ機構２３はステップ板２２の四隅部のそれぞれに中間をピン結合してＸ状にした２本のリンク２４ａ，２４ｂからなる４組のＸ状リンク２５ａ，２５ｂ，２５ｃ，２５ｄを同一方向（前後方向）に回動するように設けた構成になっている。そしてこの各Ｘ状リンク２５ａ〜２５ｄの一方のリンク２４ａの下端が支持台２１で、かつ支持台２１の前後方向の端側にピン結合されており、他端がローラ２６を介してステップ板２２の下面に設けた溝に前後方向に移動可能に係合されている。また他方のリンク２４ｂの上端がステップ板２２で、かつステップ板２２の前後方向の端側にピン結合されており、他端がローラ２６を介して支持台２１に設けた溝に前後方向に移動可能に係合されている。
【００２１】
４組のＸ状リンク２５ａ〜２５ｄにおいて、前側に位置する左右のＸ状リンク２５ａ，２５ｂの左右の間隔に対して、後側に位置する左右のＸ状リンク２５ｃ，２５ｄの左右の間隔が広くなっていて、後側のＸ状リンク２５ｃ，２５ｄの間に前側のＸ状リンク２５ａ，２５ｂが入るようになっている。
【００２２】
各Ｘ状リンク２５ａ〜２５ｄの下端が支持台２１側にピン結合されている方のリンク２４ａの中間部に、前後方向に配置されていて、基端を支持台２１に連結した伸縮ステー２８の先端が連結されている。この伸縮ステー２８は一般にワンタッチステーと呼ばれているもので、少し伸長してから短縮方向に力を加えることによりロックされ、このロック状態から少し伸長してから短縮方向に力を加えることにより短縮動作する公知のものであるのでその構成の詳細は省略する。
【００２３】
ステップ板２２の前側で、かつ左右の一方の端部にフック２９を有するレバー３０が回動可能に設けてあり、ステップ板２２が所定位置まで上昇した状態でこのレバー３０を手前側へ回動することにより、移動フレーム１０ａの前側のフレームの側面に設けた結合ピン３１に係合してステップ板２２をフレーム側にロックできるようになっている。なお、上記結合ピン３１は移動フレーム１０ａを固定フレーム９側へ移動したときに、固定フレーム９の前側のフレームの側面に干渉しないようにするために、固定フレーム９の前側のフレームの側面に上記結合ピン３１が入り込む穴が設けてある。
【００２４】
ステップ板２２には補助ステップ板３２が設けてある。この補助ステップ板３２はステップ板２２に設けた開口穴３３に嵌合する形状になっており、補助パンタグラフ機構３４を介してステップ板２２に対して、このステップ板２２より上方へ向けて昇降可能になっている。
【００２５】
補助パンタグラフ機構３４は、下端をステップ板２２の前側にピン結合した左右の前側リンク３５ａ，３５ｂと、下端をステップ板２２の後側にピン結合した左右の後側リンク３５ｃ，３５ｄとからなり、左右のそれぞれの前後のリンク３５ａ，３５ｃ及び３５ｂ，３５ｄをＸ状に交差し、交差部に一方のリンク３５ｃ，３５ｄの長手方向に移動可能にしてピン結合した構成となっている。そして左右の前側リンク３５ａ，３５ｂの上端が補助ステップ板３２の後端部にピン結合されており、また左右の後側リンク３５ｃ，３５ｄの上端が、補助ステップ板３２の下面に設けたフック３６に、補助ステップ板３２が所定の高さに上昇した状態で結合するようになっている。
【００２６】
パンタグラフ機構２３の左右のそれぞれの前後方向に対向する左側のＸ状リンク２５ａと２５ｃ、及び２５ｂと２５ｄの下側の支持台２１の溝に沿って移動するローラ２６，２６を支持する軸２６ａ，２６ａが、支持台２１の前後方向端部に設けたプーリ３７ａ，３７ｂに巻き掛けたループワイヤ３８に連結されている。
【００２７】
上記構成におけるステップ２０の作用を説明する。図４、図５はステップ板２２及び補助ステップ板３２を上昇した状態を示す。この状態で補助ステップ板３２を下降するには、後側のリンク３５ｃ，３５ｄの先端を補助ステップ板３２のフック３６から外す。これにより補助パンタグラフ３４がたたまれて補助ステップ板３２がステップ板２２と同一平面状に格納される。このときの補助ステップ板３２は補助パンタグラフ３４あるいはステップ板２２に設けた支持片（図示せず）にて支持される。
【００２８】
次に図４に示す上昇状態にあるステップ板２２を下降する作用を説明する。まずレバー３０のフック３１をフレーム側の結合ピン３１から外す。ついで各伸縮ステー２８を少し伸長後、それぞれを短縮する。これにより各Ｘ状リンク２５ａ〜２５ｄがたたまれる。このときの可動端側のローラ２６はそれぞれ溝に沿って転動される。各Ｘ状リンク２５ａ〜２５ｄがたたまれた状態でのステップ板２２は基台８の上面より下側に格納される。
【００２９】
このとき、前後のＸ状リンク２５ａ，２５ｃ及び２５ｂ，２５ｄの下側の可動端（ローラ２６）はループワイヤ３８に連結されていることにより、各Ｘ状リンク２５ａ〜２５ｄのたたまれ速度は同一になり、ステップ板２２は水平状態を保ったまま下降される。
【００３０】
ステップ板２２を上昇させる場合にはステップ板２２を持ち上げ、各Ｘ状リンク２５ａ〜２５ｄを立てることにより行う。そして上昇端まで上昇して、各伸縮ステー２８が伸長端まで伸長したときに、これを少し短縮動することにより、各伸縮ステー２８がロックされて各Ｘ状リンク２５ａ〜２５ｄが固定され、ステップ板２２の高さが固定される。
【００３１】
ステップ板２２の高さがさらに必要な場合には、ステップ板２２から補助ステップ板３２を取手部３２ａを持って持ち上げ、これを支持する補助パンタグラフ機構３４の後側のリンク３５ｃ，３５ｄの先端を補助ステップ板３２のフック３６に係合して補助ステップ板３２を上昇状態に固定して用いる。
【００３２】
上記したステップ板２２を昇降する昇降機構はパンタグラフ機構２３を手作動により昇降操作するようにした例を示したが、これは油圧シリンダやモータで回転するねじ等を用いて動力により昇降操作するようにしてもよい。また昇降機構はパンタグラフ機構に限るものではなく、ステップをねじや油圧シリンダを用いて昇降するようにした昇降機構を用いてもよい。
【００３３】
【発明の効果】
本発明によれば、印刷ユニットに隣接した作業空間において、不使用時には基台内に格納可能にしてステップを設置でき、このステップの不使用時にゴミや異物が製品や機内に落ちるのを防止できる。また、上記ステップの必要時には簡単な操作で所定の高さにセットすることができる。
そして本発明によれば、パンタグラフ機構を構成する４組のＸ状リンクの下端が支持台側にピン結合されている方のリンクの中間部に、基端を支持台に連結して前後方向に設けられ、伸縮可能にした伸縮ステーの先端を連結したことにより、この伸縮ステーの操作によりステップ板の高さの固定を行うことができる。
そして上記伸縮ステーを、伸長してから短縮方向に力を加えることによりロックされ、このロック状態から少し伸長してから短縮方向に力を加えることにより短縮動作するようにした構成にしたことにより、この伸縮ステーの操作をワンタッチ操作により行うことができる。
また、パンタグラフ機構の左右のそれぞれの前後方向に対向するＸ状リンクの下部が、支持台に沿って前後方向に移動するリンクの下端部を支持台の前後方向端部に設けたプーリに巻き掛けたループワイヤにて連結した構成になっていることにより、各Ｘ状リンクのたたまれ速度は同一になり、ステップ板は水平状態を保ったまま昇降動することができる。
【００３４】
また本発明によれば、ステップ板が基台より低い位置から所定の高さにわたって昇降可能になっていることにより、印刷機を構成するインキユニット等を支持するフレームが基台上を移動するようになっている印刷機にあっては、このステップ板を基台より低い位置に格納することにより、上記フレームの移動に際してステップが邪魔になることがない。
【００３５】
また、本発明に係る印刷機用ステップは基台より低い位置に格納可能であることにより、移動可能にしたフレームが通り過ぎた空間内において作業用のステップとして設けることができる。
そして本発明によれば、ステップ板の前側で、かつ左右の一方の端部にフックを有するレバーを前後方向に回動可能に設け、印刷機の手前側のフレームに、上記ステップ板が所定の高さまで上昇した状態で、手前側へ回動した上記レバーのフックが係脱可能に係合する結合ピンを設けたことにより、ステップ板を所定高さまで上昇した状態でレバーを回動して、これのフックをフレーム側の結合ピンに係合することにより、ステップ板をフレーム側にロックすることができる。
さらに上記構成の印刷機用ステップをタワー型印刷機の固定フレームに対して移動可能にした移動フレームの移動方向両側の空間内に設けたことにより、このタワー型印刷機の上記移動フレームの移動方向両側において印刷機用ステップを用いた作業を行うことができる。
【図面の簡単な説明】
【図１】本発明に係るステップを用いた印刷機を示す正面図である。
【図２】図１に示す状態から移動フレームを移動した状態を示す正面図である。
【図３】図１に示す印刷機のフレーム構成を示す正面図である。
【図４】本発明に係るステップの実施の形態の一例を示す側面図である。
【図５】本発明に係るステップの実施の形態の一例を示す一部破断正面図である。
【図６】本発明に係るステップの実施の形態の一例を示す一部破断平面図である。
【図７】パンタグラフ機構を示す平面図である。
【図８】図５のＡ部の拡大図である。
【図９】図５のＢ部の拡大図である。
【符号の説明】
１…印刷機、２ａ，２ｂ，２ｃ，２ｄ…両面印刷ユニット、３ａ，３ｂ…ブランケット、４ａ，４ｂ…版胴、５…インキ着けローラ、６ａ，６ｂ…インキユニット、７…連続紙、８…基台、９…固定フレーム、１０ａ，１０ｂ…移動フレーム、１１ａ，１１ｂ…支柱、１２，１２ａ…空間、１３ａ，１３ｂ…上部フレーム、１４ａ，１４ｂ…移動装置、１５ａ，１５ｂ…結合装置、２０…ステップ、２１…支持台、２２…ステップ板、２３…パンタグラフ機構、２４ａ，２４ｂ…リンク、２５ａ，２５ｂ，２５ｃ，２５ｄ…Ｘ状リンク、２６…ローラ、２８…伸縮ステー、２９…フック、３０…レバー、３１…結合ピン、３２…補助ステップ板、３３…開口穴、３４…補助パンタグラフ機構、３５ａ，３５ｂ…前側リンク、３５ｃ，３５ｄ…後側リンク、３６…フック、３７ａ，３７ｂ…プーリ、３８…ループワイヤ。
【図１】
0004548899.tif 000002
【図２】
0004548899.tif 000003
【図３】
0004548899.tif 000004
【図４】
0004548899.tif 000005
【図５】
0004548899.tif 000006
【図６】
0004548899.tif 000007
【図７】
0004548899.tif 000008
【図８】
0004548899.tif 000009
【図９】
0004548899.tif 000010